(57)【要約】【課題】歩行状態と歩行方向と重力方向とを検出することで、装着腕（左腕／右腕）と装着側（内側／外側）とを判断し、装着状態（左腕の外側／左腕の内側／右腕の内側／右腕の外側）に合わせた設定を適用する。【解決手段】腕時計型デバイスにおいて、歩行状態検出部は、加速度の変化パターンに基づいて、歩行状態を検出する。歩行方向検出部は、歩行方向を検出する。重力方向検出部は、重力方向を検出する。装着側判断部は、歩行状態を検出した際、歩行方向を基に、装着側を判断する。装着腕判断部は、歩行状態を検出した際、重力方向を基に、装着腕を判断する。設定部は、装着側及び装着腕を基に、装着状態を認識し、装着状態に合わせた設定を適用する。【選択図】図１
2014190965.tif 000002
【特許請求の範囲】
【請求項１】
身体に装着する情報処理装置であって、
歩行状態を検出する歩行状態検出部と、
歩行方向を検出する歩行方向検出部と、
前記歩行状態を検出した際、前記歩行方向を基に、装着側を判断する装着側判断部と、
前記装着側を基に、装着状態を認識し、前記装着状態に合わせた設定を適用する設定部と
を具備する
情報処理装置。
【請求項２】
請求項１に記載の情報処理装置であって、
前記装着状態に合わせた設定を基に、表示装置に表示する画像又は表示方式の少なくとも１つを制御する出力制御部
を更に具備する
情報処理装置。
【請求項３】
請求項１又は２に記載の情報処理装置であって、
前記設定部は、情報の表示方向について、前記装着側が腕の外側である場合、バンド水平方向が上下方向になるように表示データを表示する設定を適用し、前記装着側が腕の内側である場合、バンド垂直方向が上下方向になるように表示データを表示する設定を適用する
情報処理装置。
【請求項４】
請求項１乃至３のいずれか一項に記載の情報処理装置であって、
重力方向を検出する重力方向検出部
を更に具備し、
前記歩行状態検出部は、更に、走行状態を検出し、
前記装着側判断部は、前記走行状態が検出された際、前記重力方向を基に、装着側を判断する
情報処理装置。
【請求項５】
請求項１乃至３のいずれか一項に記載の情報処理装置であって
重力方向を検出する重力方向検出部と、
前記歩行状態を検出した際、前記重力方向を基に、装着腕を判断する装着腕判断部と
を更に具備し、
前記設定部は、前記装着側及び前記装着腕を基に、装着状態を認識し、前記装着状態に合わせた設定を適用する
情報処理装置。
【請求項６】
請求項５に記載の情報処理装置であって、
前記設定部は、情報の表示領域について、前記装着腕が左腕である場合、アラート情報を表示する表示領域が左腕の拳側になるように表示データを表示する設定を適用し、前記装着腕が右腕である場合、アラート情報を表示する表示領域が右腕の拳側になるように表示データを表示する設定を適用する
情報処理装置。
【請求項７】
請求項５又は６に記載の情報処理装置であって、
前記設定部は、情報の表示角度について、バンド水平方向を上下方向と定義し、前記装着腕が左腕である場合、表示データの上側を左腕の拳側に傾けて表示する設定を適用し、前記装着腕が右腕である場合、表示データの上側を右腕の拳側に傾けて表示する設定を適用する
情報処理装置。
【請求項８】
請求項５乃至７のいずれか一項に記載の情報処理装置であって、
前記歩行方向検出部は、走行方向を検出し、
前記歩行状態検出部は、更に、走行状態を検出し、
前記装着側判断部は、前記走行状態が検出された際、前記重力方向を基に装着側を判断し、
前記装着腕判断部は、前記走行状態が検出された際、前記走行方向を基に装着腕を判断する
情報処理装置。
【請求項９】
請求項５乃至８のいずれか一項に記載の情報処理装置であって、
前記装着状態に合わせた設定を基に、入力装置のボタンと機能の割り当てを制御する入力制御部と
を更に具備し、
前記設定部は、前記入力装置のボタンと機能の割り当てについて、前記装着腕が左腕である場合、割り当てられる機能のうち、相対的に使用頻度の高い機能を左腕の拳側のボタンに割り当てる設定を適用し、前記装着腕が右腕である場合、割り当てられる機能のうち、相対的に使用頻度の高い機能を右腕の拳側のボタンに割り当てる設定を適用する
情報処理装置。
【請求項１０】
請求項１乃至８のいずれか一項に記載の情報処理装置であって、
前記装着状態に合わせた設定を基に、入力装置のボタンと機能の割り当てを制御する入力制御部
を更に具備する
情報処理装置。
【請求項１１】
身体に装着する情報処理装置の装着状態検出方法であって、
歩行状態を検出することと、
歩行方向を検出することと、
前記歩行状態を検出した際、前記歩行方向を基に、装着側を判断することと、
前記装着側を基に、装着状態を認識し、前記装着状態に合わせた設定を適用することと
を含む
装着状態検出方法。
【請求項１２】
歩行状態を検出するステップと、
歩行方向を検出するステップと、
前記歩行状態を検出した際、前記歩行方向を基に、装着側を判断するステップと、
前記装着側を基に、装着状態を認識し、前記装着状態に合わせた設定を適用するステップと
を身体に装着する情報処理装置に実行させるための
プログラム。
【発明の詳細な説明】
【技術分野】
【０００１】
本発明は、身体に装着する情報処理装置に関し、特に腕に装着して自動的に設定を切り替える情報処理装置に関する。
【背景技術】
【０００２】
近年、身体に装着する情報処理装置であるウェアラブルコンピュータ（ｗｅａｒａｂｌｅ  ｃｏｍｐｕｔｅｒ）の分野で、腕時計のように腕に装着する情報処理装置（以下、腕時計型デバイスと呼ぶ）が製品化されている。
【０００３】
腕時計型デバイスは、装着者（利用者）の利き腕や性別、好みや習慣に応じて、装着者毎に異なる装着状態（左腕の外側／左腕の内側／右腕の内側／右腕の外側）となることが多い。装着状態が異なれば、操作手順や表示画面の見方も異なると考えられる。したがって、装着状態に合わせて、表示装置での表示方法や入力装置の割り当ての設定を行うことが好ましい。
【０００４】
しかし、腕時計型デバイスは、一般的な携帯端末等と比べると入力装置が小さいため、メニュー画面等を用いて、表示装置での表示方法や入力装置の割り当ての設定を行うのが煩雑である。
【０００５】
手動操作によらず時計の設定を変更するための技術として、特許文献１（特開平２−６９６９３号公報）に加速度センサを用いた時計のモード切換え方法が開示されている。当該文献には、振動を与えることで加速度センサが反応し、モードを切り替える時計に関する記載がある。
【０００６】
また、特許文献２（特開２００４−２７１３０７号公報）に計時装置および計時装置の制御方法が開示されている。当該文献には、ケースの置かれた状態を検出し、表示の向きを変更する時計に関する記載がある。
【０００７】
しかし、従来の技術では、腕時計型デバイスは、装着状態を検出することができなかった。
【先行技術文献】
【特許文献】
【０００８】
【特許文献１】特開平２−６９６９３号公報
【特許文献２】特開２００４−２７１３０７号公報
【非特許文献】
【０００９】
【非特許文献１】「センサを人体に固定しないデッドレコニング手法」、上坂  大輔、外３名、一般社団法人情報処理学会  全国大会講演論文集  第７１回平成２１年（３），  “３−５９”−“３−６０”，［２００９年３月１０日］、［ｏｎｌｉｎｅ］、２０１３年３月１日、インターネット（ＵＲＬ：ｈｔｔｐ：／／ｃｉ．ｎｉｉ．ａｃ．ｊｐ／ｌｏｇｎａｖｉ？ｎａｍｅ＝ｎｅｌｓ＆ｌａｎｇ＝ｊｐ＆ｔｙｐｅ＝ｐｄｆ＆ｉｄ＝ＡＲＴ０００９３２７４８２）
【非特許文献２】「人体の行動識別が可能な腕時計型装置の開発」（Ｄｅｖｅｌｏｐｍｅｎｔ  ｏｆ  ａ  ｗｒｉｓｔｗａｔｃｈ  ｔｙｐｅ  ｅｑｕｉｐｍｅｎｔ  ｗｈｉｃｈ  ｃａｎ  ｃｌａｓｓｉｆｙ  ｈｕｍａｎ  ａｃｔｉｖｉｔｉｅｓ）、マイクロストーン株式会社、市川和豊、マイクロストーンテクニカルニュース  ’０６．０１号、［発行日：２００６年１月１５日］、［ｏｎｌｉｎｅ］、２０１３年３月１日、インターネット（ＵＲＬ：ｈｔｔｐ：／／ｗｗｗ．ｍｉｃｒｏｓｔｏｎｅ．ｃｏ．ｊｐ／ｐｄｆ／ＭＳＴ＿ＴｅｃｈＮｅｗｓ０６０１．ｐｄｆ）
【発明の概要】
【発明が解決しようとする課題】
【００１０】
本発明の目的は、腕に装着する情報処理装置であって、歩行状態と歩行方向と重力方向とを検出することで、装着腕（左腕／右腕）と装着側（内側／外側）とを判断し、装着状態（左腕の外側／左腕の内側／右腕の内側／右腕の外側）に合わせた設定を適用する情報処理装置を提供することである。
【課題を解決するための手段】
【００１１】
本発明に係る情報処理装置は、身体に装着する情報処理装置であって、歩行状態を検出する歩行状態検出部と、歩行方向を検出する歩行方向検出部と、歩行状態を検出した際、歩行方向を基に、装着側を判断する装着側判断部と、装着側を基に、装着状態を認識し、装着状態に合わせた設定を適用する設定部を備える。
【００１２】
本発明に係る装着状態検出方法は、身体に装着する情報処理装置の装着状態検出方法であって、次のような処理を行う。まず、歩行状態を検出する。また、歩行方向を検出する。また、歩行状態を検出した際、歩行方向を基に、装着側を判断する。また、装着側を基に、装着状態を認識し、装着状態に合わせた設定を適用する。
【００１３】
本発明に係るプログラムは、上記の装着状態検出方法における処理を、身体に装着する情報処理装置に実行させるためのプログラムである。なお、本発明に係るプログラムは、記憶装置や記憶媒体に格納することが可能である。
【発明の効果】
【００１４】
腕に装着する情報処理装置が、装着者（利用者）の利き腕や性別、好みや習慣に応じて、装着者毎に異なる装着状態（左腕の外側／左腕の内側／右腕の内側／右腕の外側）を判断し、装着状態に合わせた設定をすることができる。例えば、装着状態に応じて、表示装置での表示方法や入力装置の割り当てや機能のオン／オフをすることもできる。
【図面の簡単な説明】
【００１５】
【図１】本発明に係る腕に装着する情報処理装置（腕時計型デバイス）の基本構成例を示す図である。
【図２】腕時計型デバイスの方向の定義について説明するための図である。
【図３Ａ】腕時計型デバイスの装着状態「右腕外側」を示す図である。
【図３Ｂ】腕時計型デバイスの装着状態「右腕内側」を示す図である。
【図３Ｃ】腕時計型デバイスの装着状態「左腕内側」を示す図である。
【図３Ｄ】腕時計型デバイスの装着状態「左腕外側」を示す図である。
【図４】本発明に係る腕時計型デバイスの実施構成例を示す図である。
【図５】腕時計型デバイスの入力装置について説明するための図である。
【図６】歩行用（歩行中）の歩行状態テーブルについて説明するための図である。
【図７】歩行用の装着側判断テーブルについて説明するための図である。
【図８】歩行用の装着腕判断テーブルについて説明するための図である。
【図９】歩行用の設定テーブルについて説明するための図である。
【図１０Ａ】外側装着時の表示方向の例を示す図である。
【図１０Ｂ】内側装着時の表示方向の例を示す図である。
【図１１Ａ】左腕装着時の表示領域の例を示す図である。
【図１１Ｂ】右腕装着時の表示領域の例を示す図である。
【図１２Ａ】左腕装着時の表示角度の例を示す図である。
【図１２Ｂ】右腕装着時の表示角度の例を示す図である。
【図１３Ａ】左腕装着時の機能の割り当ての例を示す図である。
【図１３Ｂ】右腕装着時の機能の割り当ての例を示す図である。
【図１４Ａ】装着状態「右腕外側」の時の表示角度の例を示す図である。
【図１４Ｂ】装着状態「右腕内側」の時の表示角度の例を示す図である。
【図１４Ｃ】装着状態「左腕内側」の時の表示角度の例を示す図である。
【図１４Ｄ】装着状態「左腕外側」の時の表示角度の例を示す図である。
【図１５】走行用（走行中）の走行状態テーブルについて説明するための図である。
【図１６】走行用の装着側判断テーブルについて説明するための図である。
【図１７】走行用の装着腕判断テーブルについて説明するための図である。
【図１８】走行用の設定テーブルについて説明するための図である。
【発明を実施するための形態】
【００１６】
＜全体概要＞
以下に、本発明について添付図面を参照して説明する。
【００１７】
本発明において、腕に装着する情報処理装置（以下、腕時計型デバイスとして説明する）は、腕時計のように身体に装着するパーソナルコンピュータやタブレットコンピュータ、スマートフォン等の電子機器、又は、その電子機器を構成する部品のことであり、時計である必要はない。また、実際には、腕に着けていなくても良い。例えば、腕に着けていなくても、指や手に装着していれば、装着状態（左腕の外側／左腕の内側／右腕の内側／右腕の外側）を判断することはできる。また、常時もしくは直接、身に着けていなくても良い。例えば、常時もしくは直接、身に着けていなくても、服の袖やハンドバッグの表面に付着していれば、或いは、バンド（ベルト）や金具等を介して間接的に装着していれば、装着状態（左腕の外側／左腕の内側／右腕の内側／右腕の外側）を判断することはできる。また、技術の性質上、腕ではなく脚に装着しても、腕に装着した場合と同様の処理を行うことが可能である。すなわち、「腕に装着する情報処理装置」は、手足の動きに合わせて一緒に動く（手足の動きに同調／同期して動く）情報処理装置であれば良い。
【００１８】
［基本構成］
図１を参照して、本発明に係る腕時計型デバイスの基本構成例について説明する。
【００１９】
本発明に係る腕時計型デバイスは、歩行状態検出部１１と、歩行方向検出部１２と、重力方向検出部１３と、装着側判断部１４と、装着腕判断部１５と、設定部１６を備える。
【００２０】
歩行状態検出部１１は、振動を検出する加速度センサ等を用いて、加速度を測定し、加速度の変化パターンに基づいて、歩行状態を検出する。ここでは、説明の簡単化のため、「加速の変化パターン」に基づいて、歩行状態を検出するものとしている。但し、実際には、非特許文献２「人体の行動識別が可能な腕時計型装置の開発」等に記載されているような手法を用いても構わない。
【００２１】
歩行方向検出部１２は、加速度センサや地図上の座標位置を検出するＧＰＳ（Ｇｌｏｂａｌ  Ｐｏｓｉｔｉｏｎｉｎｇ  Ｓｙｓｔｅｍ）等を用いて、歩行方向を検出する。
【００２２】
重力方向検出部１３は、重力を検出する加速度センサ等を用いて、重力方向を検出する。
【００２３】
装着側判断部１４は、歩行状態検出部１１が歩行状態を検出した時に、歩行方向検出部１２が検出した歩行方向から、腕時計型デバイスを装着した側（内側／外側）を判断する。
【００２４】
装着腕判断部１５は、歩行状態検出部１１が歩行状態を検出した時に、重力方向検出部１３が検出した重力方向から、腕時計型デバイスを装着した腕（左腕／右腕）を判断する。
【００２５】
設定部１６は、装着側判断部１４で判断した装着側（外側／内側）と、装着腕判断部１５で判断した装着腕（左腕／右腕）を基に、腕時計型デバイスの装着状態（左腕の外側／左腕の内側／右腕の内側／右腕の外側）を認識し、腕時計型デバイスの装着状態に合わせた設定を適用する。
【００２６】
［腕時計型デバイスの装着状態］
図２、図３Ａ〜図３Ｄを参照して、腕時計型デバイスの装着状態について説明する。
【００２７】
まず、図２に示すように、腕時計型デバイスの方向を定義する。
【００２８】
ここでは、腕時計型デバイスのバンド（ベルト）の長手方向を「Ｙ軸」として定義する。なお、腕時計型デバイスのバンド（ベルト）自体を「Ｙ軸」として定義しても良い。また、長手方向の一方を「＋」とし、他方を「−」として定義する。例えば、腕時計型デバイスのバンド（ベルト）の長手方向を腕時計型デバイスの上下方向とした場合において、腕時計型デバイスの上側の方向をＹ軸の「＋」として定義する。また、腕時計型デバイスの下側の方向をＹ軸の「−」として定義する。
【００２９】
同様に、腕時計型デバイスのバンド（ベルト）の長手方向（Ｙ軸）と直交する方向を「Ｘ軸」として定義する。また、腕時計型デバイスのＹ軸の「＋」側を上にして、Ｙ軸に向かって右側方向をＸ軸の「＋」として定義する。また、Ｙ軸に向かって左側方向をＸ軸の「−」として定義する。
【００３０】
このとき、図３Ａに示すように、腕時計型デバイスの装着状態が「右腕の外側」の場合、歩行方向が「Ｙ軸−」（Ｙ−）となり、重力方向が「Ｘ軸−」（Ｘ−）となる。
【００３１】
また、図３Ｂに示すように、腕時計型デバイスの装着状態が「右腕の内側」の場合、歩行方向が「Ｙ軸＋」（Ｙ＋）となり、重力方向が「Ｘ軸−」（Ｘ−）となる。
【００３２】
また、図３Ｃに示すように、腕時計型デバイスの装着状態が「左腕の内側」の場合、歩行方向が「Ｙ軸＋」（Ｙ＋）となり、重力方向が「Ｘ軸＋」（Ｘ＋）となる。
【００３３】
また、図３Ｄに示すように、腕時計型デバイスの装着状態が「左腕の外側」の場合、歩行方向が「Ｙ軸−」（Ｙ−）となり、重力方向が「Ｘ軸＋」（Ｘ＋）となる。
【００３４】
＜第１実施形態＞
以下に、本発明の第１実施形態について説明する。
【００３５】
［腕時計型デバイスの構成］
図４を参照して、本実施形態に係る腕時計型デバイスの構成例について説明する。
【００３６】
本実施形態に係る腕時計型デバイスは、処理部１０と、記憶部２０と、表示部３０と、入力部４０を備える。
【００３７】
処理部１０は、腕時計型デバイスの構成要素を制御し、腕時計型デバイスにおける各種機能を実現するための処理を行う。処理部１０の例として、ＣＰＵ（Ｃｅｎｔｒａｌ  Ｐｒｏｃｅｓｓｉｎｇ  Ｕｎｉｔ）、ネットワークプロセッサ（ＮＰ：Ｎｅｔｗｏｒｋ  Ｐｒｏｃｅｓｓｏｒ）、マイクロプロセッサ（ｍｉｃｒｏｐｒｏｃｅｓｓｏｒ）、マイクロコントローラ（ｍｉｃｒｏｃｏｎｔｒｏｌｌｅｒ）、或いは、専用の機能を有する半導体集積回路（ＬＳＩ：Ｌａｒｇｅ  Ｓｃａｌｅ  Ｉｎｔｅｇｒａｔｉｏｎ）等が考えられる。但し、実際には、これらの例に限定されない。
【００３８】
記憶部２０は、腕時計型デバイスの制御や処理において使用される各種データを記憶する。記憶部２０の例として、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やフラッシュメモリ等の半導体記憶装置、又は、ＳＤメモリカード（Ｓｅｃｕｒｅ  Ｄｉｇｉｔａｌ  ｍｅｍｏｒｙ  ｃａｒｄ）等の記憶媒体（メディア）等が考えられる。但し、実際には、これらの例に限定されない。
【００３９】
表示部３０は、腕時計型デバイスの表示領域に画像等を表示する。表示部３０の例として、ＬＣＤ（液晶ディスプレイ）やＰＤＰ（プラズマディスプレイ）、有機ＥＬディスプレイ（ｏｒｇａｎｉｃ  ｅｌｅｃｔｒｏｌｕｍｉｎｅｓｃｅｎｃｅ  ｄｉｓｐｌａｙ）等の表示装置が考えられる。或いは、外部の表示装置に情報を出力するためのインターフェース（Ｉ／Ｆ：ｉｎｔｅｒｆａｃｅ）でも良い。すなわち、表示部３０は、何らかの出力装置であれば良い。但し、実際には、これらの例に限定されない。
【００４０】
入力部４０は、腕時計型デバイスの装着者（利用者）の操作に応じて、腕時計型デバイスに対する入力を行う。入力部４０の例として、各種ボタンを始め、キーパッド（ｋｅｙｐａｄ）、タッチパネル（ｔｏｕｃｈ  ｐａｎｅｌ）、ＫＶＭ（キーボード・ビデオ・マウス）、コンソール（ｃｏｎｓｏｌｅ）、タブレット（ｔａｂｌｅｔ）等の入力装置が考えられる。なお、各種ボタンは、物理的なボタンに限らず、表示部３０に表示された仮想的なボタンでも良い。また、各種の読取装置等も考えられる。或いは、外部の入力装置から情報を取得するためのインターフェース（Ｉ／Ｆ：ｉｎｔｅｒｆａｃｅ）でも良い。但し、実際には、これらの例に限定されない。
【００４１】
［処理部の詳細］
まず、処理部１０の詳細について説明する。
【００４２】
処理部１０は、歩行状態検出部１１と、歩行方向検出部１２と、重力方向検出部１３と、装着側判断部１４と、装着腕判断部１５と、設定部１６と、出力制御部１７と、入力制御部１８を備える。
【００４３】
歩行状態検出部１１、歩行方向検出部１２、重力方向検出部１３、装着側判断部１４、装着腕判断部１５、及び設定部１６については、前述のとおりである。
【００４４】
出力制御部１７は、表示部３０を制御する。ここでは、出力制御部１７は、設定部１６で適用された設定を基に、表示部３０に表示する画像の位置、領域、種類等や、表示部３０に表示する表示画面の表示方向、表示角度、明るさ等の表示方式（表示形態）を制御する。
【００４５】
入力制御部１８は、入力部４０を制御する。ここでは、入力制御部１８は、設定部１６で適用された設定を基に、入力部４０の各種ボタンと機能の割り当てを制御する。なお、各種ボタンは、物理的なボタンに限らず、表示部３０に表示された仮想的なボタンでも良い。
【００４６】
［機能の割り当て］
図５を参照して、入力部４０の各種ボタンと機能の割り当てについて説明する。
【００４７】
例えば、腕時計型デバイスには、図５に示すように、表示部３０と、４つの入力部４０が設けられている。ここでは、入力部４０は、ボタンとして用意されている。したがって、４つの入力部４０は、４つのボタン（入力部Ａ、Ｂ、Ｃ、Ｄ）として示している。
【００４８】
入力制御部１８は、腕時計型デバイスにおいて、設定部１６で適用された設定を基に、腕時計型デバイスに設けられた４つのボタン（入力部Ａ、Ｂ、Ｃ、Ｄ）の各々に機能を割り当てる。その後、いずれかのボタンが押下された際、当該ボタンに割り当てられた機能を実行する。
【００４９】
また、腕時計型デバイスの本体において、腕時計型デバイスのバンド（ベルト）の上側の近傍に
「上側の印」が付されている。ここでは、図２に示すような、「Ｙ軸」と「Ｘ軸」により形成される直交座標系において、「Ｙ軸＋」（Ｙ＋）かつ「Ｘ軸＋」（Ｘ＋）となる領域（第一象限）に「上側の印」が付されている。
【００５０】
なお、腕時計型デバイスの方向を定義する際、実際には、図５に示すように、腕時計型デバイスのバンド（ベルト）の長手方向（Ｙ軸）において、「上側の印」が付された側をＹ軸の「＋」として定義しても良い。同様に、腕時計型デバイスのバンド（ベルト）の長手方向と直交する方向（Ｘ軸）において、「上側の印」が付された側をＸ軸の「＋」として定義しても良い。
【００５１】
［記憶部の詳細］
次に、記憶部２０の詳細について説明する。
【００５２】
記憶部２０は、歩行状態テーブル２１と、装着側判断テーブル２２と、装着腕判断テーブル２３と、設定テーブル２４を有する（記憶している）。
【００５３】
歩行状態テーブル２１は、図６に示すように、「加速度の変化パターン」と、「歩行状態」とが対応付けられた対応表である。例えば、歩行状態テーブル２１には、加速度の変化パターン「パターン１」と歩行状態「歩行中」とが対応付けられている。また、加速度の変化パターン「パターン０」と歩行状態「停止」とが対応付けられている。なお、実際には、「加速度の変化パターン」として、「加速の有無」を指定することも可能である。例えば、加速度の変化パターン「パターン１」として、加速「有」を指定し、加速度の変化パターン「パターン０」として、加速「無」を指定することも可能である。
【００５４】
装着側判断テーブル２２は、図７に示すように、「歩行方向」（腕時計型デバイスに対する歩行方向）と、「装着側」（内側／外側）とが対応付けられた対応表である。ここでは、装着側判断テーブル２２には、歩行方向「Ｙ軸＋」（Ｙ＋）と装着側「内側」とが対応付けられている。また、歩行方向「Ｙ軸−」（Ｙ−）と装着側「外側」とが対応付けられている。
【００５５】
装着腕判断テーブル２３は、図８に示すように、「重力方向」（腕時計型デバイスに対する重力方向）と、「装着腕」（右腕／左腕）とが対応付けられた対応表である。例えば、ここでは、重力方向「Ｘ軸＋」（Ｘ＋）と装着腕「左腕」とが対応付けられている。また、重力方向「Ｘ軸−」（Ｘ−）と装着腕「右腕」とが対応付けられている。
【００５６】
設定テーブル２４は、図９に示すように、「装着側」（内側／外側）と、「装着腕」（右腕／左腕）と、「表示設定」（表示装置の表示パターン）と、「入力設定」（入力装置の入力パターン）とが対応付けられた対応表である。例えば、設定テーブル２４は、装着腕（左腕／右腕）と装着側（内側／外側）との組合せ毎に、表示パターンと入力パターンが対応付けられている。すなわち、装着状態（左腕の外側／左腕の内側／右腕の内側／右腕の外側）に応じた表示パターン及び入力パターンが設定されている。
【００５７】
［歩行状態の検出］
歩行状態検出部１１は、加速度センサにより加速度が検出された場合、検出された加速度の既定の時間分の推移（変化パターン）を解析し、予め記憶部に記憶されている加速度の変化パターンと比較して、合致する加速度の変化パターンを特定する。なお、歩行状態検出部１１は、既定の時間、加速度が連続的又は断続的に検出された場合に、検出された加速度の変化パターンを解析して、どの加速度の変化パターンに合致するか特定しても良い。また、連続的又は断続的に検出された加速度の変化パターンと、予め記憶されている加速度の変化パターンとを比較して類似度を算出し、類似度が既定値より高い加速度の変化パターンを特定しても良い。類似の判別は、歩行中の加速度の変化パターンに対し、予め誤差範囲の値が設けられており、検出された加速度の変化パターンが、誤差範囲内であれば類似と判定しても良い。
【００５８】
次に、歩行状態検出部１１は、記憶部２０に記憶されている歩行状態テーブル２１を参照し、特定された加速度の変化パターンに対応する歩行状態を判断する。ここでは、特定された加速度の変化パターンが「パターン１」の場合に対応する歩行状態が「歩行中」であるため、歩行状態を「歩行中」と判断する。
【００５９】
歩行状態検出部１１は、現在の歩行状態を表す歩行状態識別子に「歩行中」を入力し、歩行状態識別子「歩行中」を、装着側判断部１４と装着腕判断部１５に送信する。或いは、加速度センサにより検出される加速度の変化パターンが、予め記憶された加速度の変化パターン「パターン１」と合致もしくは類似しなくなるまで、歩行状態識別子「歩行中」を、装着側判断部１４と装着腕判断部１５に送信し続けても良い。
【００６０】
また、特定された加速度の変化パターンが「パターン０」の場合には、対応する歩行状態が「停止」であるため、歩行状態を「停止」と判断する。
【００６１】
歩行状態検出部１１は、現在の歩行状態を表す歩行状態識別子に「停止」を入力し、歩行状態識別子「停止」を、装着側判断部１４と装着腕判断部１５に送信する。或いは、加速度センサにより検出される加速度の変化パターンが、予め記憶された加速度の変化パターン「パターン０」と合致もしくは類似しなくなるまで、歩行状態識別子「停止」を、装着側判断部１４と装着腕判断部１５に送信し続けても良い。
【００６２】
更に、歩行状態検出部１１は、加速度センサにより加速度が検出されない場合、もしくは検出された加速度の変化パターンが記憶部２０に記憶されている加速度の変化パターンとは一致、もしくは類似しなかった場合、歩行状態を「停止」と判断しても良い。
【００６３】
［歩行方向の判別］
歩行方向検出部１２は、例えば、非特許文献１「センサを人体に固定しないデッドレコニング手法」に示されるように、腕振り動作の前後の非対称性を利用することで、歩行方向を検出し、歩行方向の情報として装着側判断部１４に送信する。
【００６４】
或いは、歩行方向検出部１２は、ＧＰＳから検出される複数の位置情報により、歩行者の地理上の方向と、地磁気センサから検出される腕時計型デバイスの地理上の向きとを基に、腕時計型デバイスのＹ軸の＋側に移動しているか、「−」側に移動しているか判定する。その判定結果を、歩行方向の情報として装着側判断部１４に送信しても良い。
【００６５】
技術的には、以下の３つの手法でも歩行方向を判別することが可能である。
【００６６】
１．静止状態から歩行中の状態になる間には、歩行方向への加速度が生じるので、この加速方向で判別する。例えば、加速度の積分値から速度方向を判断する。
【００６７】
２．加速度センサから検出される加速度の値の強弱パターンと、記憶部２０に記憶されている「Ｙ軸＋」の場合の加速度の値の強弱パターンとを比較し、更に、その加速度の値の強弱パターンと、記憶部２０に記憶されている「Ｙ軸−」の場合の加速度の値の強弱パターンとを比較し、その結果、類似度が高い方を、歩行方向と判断する。
【００６８】
３．前後方向の加速度と、重力方向の加速度の位相関係で判別する。例えば、装着側の足が着地している時には下方向に沈むと考えられるため、この時に加速している方向が進行方向と判定できる。
【００６９】
［重力方向の判別］
重力方向検出部１３は、加速度センサから検出される加速度の値に基づいて、腕時計型デバイスのどの方向に重力が働いているか判定し、その判定結果を、重力方向の情報として装着腕判断部１５に送信する。
【００７０】
［装着側の判別］
装着側判断部１４は、歩行状態検出部１１から歩行状態識別子「歩行中」を受信した場合、歩行方向検出部１２から腕時計型デバイスに対する歩行方向の情報（Ｙ軸が＋か−の値）を取得する。このとき、記憶部２０に記憶されている装着側判断テーブル２２を確認し、歩行方向の情報に対応する装着側（内側／外側）を判断する。装着側判断部１４は、装着側が「外側」又は「内側」と判断した場合、装着側識別子にその装着側の判断結果を入力し、装着側識別子を設定部１６に送信する。
【００７１】
［装着腕の判別］
装着腕判断部１５は、歩行状態検出部１１から歩行状態識別子「歩行中」の情報を受信した場合、重力方向検出部１３から腕時計型デバイスに対する重力方向（Ｘ軸の＋か−の値）を取得する。このとき、装着腕判断テーブル２３を確認し、重力方向に対応する装着している装着腕（右腕／左腕）を判断する。装着腕判断部１５は、装着腕が「右腕」又は「左腕」と判断した場合、装着腕識別子にその装着腕の判断結果を入力し、装着腕識別子を設定部１６に送信する。
【００７２】
［表示装置／入力装置の設定］
設定部１６は、装着側判断部１４から装着側識別子を受信し、装着腕判断部１５から装着腕識別子を受信する。装着側識別子と装着腕識別子の両方を受信した場合、設定テーブル２４を確認し、装着側識別子及び装着腕識別子に対応する表示パターン及び入力パターンを取得する。このとき、取得された表示パターン及び入力パターンを基に、表示部３０及び入力部４０の設定を変更する。変更後の設定内容については、別途、記憶部２０に記憶しても良い。
【００７３】
ここでは、表示装置を制御する制御内容を示す表示パターンを取得し、取得された表示パターンに基づいて、腕時計型デバイスの表示設定を変更する。例えば、表示装置の明るさ等を変更する。複数の表示装置がある場合、装着側識別子の値と装着腕識別子の値とに合致する表示装置に画像や文字等を表示する。
【００７４】
同様に、入力装置を制御する制御内容を示す入力パターンを取得し、取得された入力パターンに基づいて、腕時計型デバイスの入力設定を変更する。例えば、入力装置の機能等を切り替える。複数の入力装置がある場合、装着側識別子の値と装着腕識別子の値とに合致する入力装置に機能を割り当てる。
【００７５】
なお、腕時計型デバイスの表示画面がタッチパネルである場合、入力設定の変更も、表示設定の変更により行っても良い。
【００７６】
［表示装置の制御］
出力制御部１７は、設定部１６により設定された表示設定を基に、表示部３０に入力される表示データを加工して、表示部３０に出力する。
【００７７】
ここでは、図１０Ａに示すように、装着側識別子が「外側」であった場合は、情報の表示の向き（表示方向）について、バンド（ベルト）水平方向（Ｙ軸）が上下方向になるように、表示データを表示する。また、図１０Ｂに示すように、装着側識別子が「内側」であった場合は、情報の表示の向き（表示方向）について、バンド（ベルト）垂直方向（Ｘ軸）が上下方向になるように、表示データを表示する。
【００７８】
また、装着側識別子が「外側」であった場合は、装着者以外の他人にも表示画面が見える。メールを着信した際、着信メールの送信者や内容等が他人にも見える状態であるのは問題となることもある。したがって、装着側識別子が「外側」であった場合は、プライバシーの保護のため、バックライトや表示装置の明るさ等の光度を暗くして、他人から見えにくく表示するようにしても良い。或いは、装着側識別子が「外側」であった場合には、表示データを表示せず、装着側識別子が「内側」であった場合にのみ、表示データを表示するようにしても良い。
【００７９】
また、装着腕識別子が「左腕」であった場合は、図１１Ａに示すように、アラート情報を表示する表示領域が、装着者の目に付きやすい左腕の拳側（掌側）になるように、「Ｘ軸＋」側に表示データを表示する。反対に、装着腕識別子が「右腕」であった場合は、図１１Ｂに示すように、アラート情報を表示する表示領域が、装着者の目に付きやすい右腕の拳側になるように「Ｘ軸−」側に表示データを表示する。
【００８０】
また、装着腕識別子が「左腕」であった場合は、装着者が左腕をあまり曲げなくても表示内容が見やすくなるように、図１２Ａに示すように、本体の上側を「０度」として、情報の表示の向き（表示角度）を「３０度〜６０度」程度、「Ｘ軸＋」側に傾けて（アナログ時計で例示すると、１時〜２時方向が上になるように）表示データを表示する。反対に、装着腕識別子が「右腕」であった場合は、装着者が右腕をあまり曲げなくても表示内容が見やすくなるように、図１２Ｂに示すように、本体の上側を「０度」として、情報の表示の向き（表示角度）を「３０度〜６０度」程度、「Ｘ軸−」側に傾けて（アナログ時計で例示すると、１０時〜１１時方向が上になるように）表示データを表示する。すなわち、バンド（ベルト）水平方向（Ｙ軸）を上下方向とし、前記装着腕が左腕である場合、表示データの上側を左腕の拳側に傾けて表示する。反対に、前記装着腕が右腕である場合、表示データの上側を右腕の拳側に傾けて表示する。
【００８１】
［入力装置の制御］
入力制御部１８は、設定部１６により設定された入力設定を基に、入力部４０に入力された入力データを、対応する機能への入力として処理する。
【００８２】
ここでは、装着腕識別子が「左腕」であるか「右腕」であるかに応じて、割り当てられる機能のうち、最も使用頻度の高い機能を、押しやすい拳側のボタンに割り当てる。すなわち、押しやすい拳側のボタンから順に、相対的に使用頻度の高い機能を割り当てていく。例えば、図５に示すように、入力部４０として腕時計型デバイスの両サイドの上下に計４つのボタンが設置されているとする。また、メール確認や通話等の機能の使用頻度が高かったとする。ここでは、メール確認ボタンを「Ａ」と定義する。また、通話ボタンを「Ｂ」と定義する。また、その他の機能のボタンを「Ｃ」、「Ｄ」と定義する。このとき、装着腕識別子が「左腕」の場合は、図１３Ａに示すように、左腕の拳側の「Ｘ軸＋」側のボタンに、メール確認ボタン「Ａ」や、通話ボタン「Ｂ」等を割り当てる。また、装着腕識別子が「右腕」の場合は、図１３Ｂに示すように、右腕の拳側の「Ｘ軸−」側のボタンに、メール確認ボタン「Ａ」や、通話ボタン「Ｂ」等を割り当てる。
【００８３】
また、装着側識別子が「内側」であるか「外側」であるかに応じて、同一のボタンに異なる機能を割り当てるようにしても良い。例えば、プライバシーの保護のため、装着側識別子が「内側」である場合にのみ、ボタンに、メール確認ボタンや、通話ボタン等を割り当てるようにしても良い。
【００８４】
また、装着側識別子が「内側」であるか「外側」であるかに応じて、異なる処理を行うようにしても良い。例えば、入力部４０が、脈拍センサ等の読取装置である場合、腕の「外側」から読みとったデータである場合、腕の「外側」に適した処理を行う。また、腕の「内側」から読みとったデータである場合、腕の「内側」に適した処理を行う。
【００８５】
＜第２実施形態＞
以下に、本発明の第２実施形態について説明する。
【００８６】
本実施形態では、装着状態（左腕の外側／左腕の内側／右腕の内側／右腕の外側）に応じて、表示の向き（表示角度）を変更するように設定する。
【００８７】
設定部１６は、装着腕識別子と装着側識別子とで、腕時計型デバイスの装着状態（左腕の外側／左腕の内側／右腕の内側／右腕の外側）を認識し、設定テーブル２４を基に、４つの装着状態にそれぞれ対応する表示パターンと入力パターンとを設定する。
【００８８】
例えば、装着腕識別子が「左腕」で装着側識別子が「外側」であった場合は、図１４Ａに示すように、本体の上側を「０度」として、情報の表示の向きを「３０度〜６０度」程度、「Ｘ軸＋」側に傾けて（アナログ時計で例示すると、１時〜２時方向が上になるように）表示データを表示するように制御するための表示パターンを設定する。
【００８９】
また、装着腕識別子が「左腕」で装着側識別子が「内側」であった場合は、図１４Ｂに示すように、本体の上側を「０度」として、情報の表示の向きを「９０度」程度、「Ｘ軸＋」側に傾けて（アナログ時計で例示すると、３時方向が上になるように）表示データを表示するように制御するための表示パターンを設定する。
【００９０】
また、装着腕識別子が「右腕」で装着側識別子が「内側」であった場合は、装図１４Ｃに示すように、本体の上側を「０度」として、情報の表示の向きを「９０度」程度、「Ｘ軸−」側に傾けて（アナログ時計で例示すると、９時方向が上になるように）表示データを表示するように制御するための表示パターンを設定する。
【００９１】
また、装着腕識別子が「右腕」で装着側識別子が「外側」であった場合は、図１４Ｄに示すように、本体の上側を「０度」として、情報の表示の向きを「３０度〜６０度」程度、「Ｘ軸−」側に傾けて（アナログ時計で例示すると、１０時〜１１時方向が上になるように）表示データを表示するように制御するための表示パターンを設定する。
【００９２】
＜第３実施形態＞
以下に、本発明の第３実施形態について説明する。
【００９３】
本実施形態では、装着状態（左腕の外側／左腕の内側／右腕の内側／右腕の外側）に応じて、腕時計型デバイスの用途を変更するように設定する。
【００９４】
設定部１６は、装着腕識別子と装着側識別子とで、腕時計型デバイスの装着状態（左腕の外側／左腕の内側／右腕の内側／右腕の外側）を認識し、設定テーブル２４を基に、４つの装着状態にそれぞれ対応する表示パターンと入力パターンとを設定する。
【００９５】
例えば、装着腕識別子が「左腕」で装着側識別子が「外側」であった場合は、「ビジネス時」のモードに切り替え、時計機能を表示するように制御するための表示パターンを設定する。また、時計を操作する機能のボタンを割り当てるように制御するための入力パターンを設定する。
【００９６】
また、装着腕識別子が「左腕」で装着側識別子が「内側」であった場合は、「暇つぶし時」のモードに切り替え、ゲーム機能を表示するように制御するための表示パターンを設定する。また、ゲームを操作する機能のボタンを割り当てるように制御するための入力パターンを設定する。
【００９７】
また、装着腕識別子が「右腕」で装着側識別子が「内側」であった場合は、「休憩時」のモードに切り替え、音楽再生機能を表示するように制御するための表示パターンを設定する。また、音楽再生を操作する機能のボタンを割り当てるように制御するための入力パターンを設定する。
【００９８】
また、装着腕識別子が「右腕」で装着側識別子が「外側」であった場合は、「ジョギング時」のモードに切り替え、歩数計機能を表示するように制御するための表示パターンを設定する。また、歩数計を操作する機能のボタンを割り当てるように制御するための入力パターンを設定する。
【００９９】
＜第４実施形態＞
以下に、本発明の第４実施形態について説明する。
【０１００】
本実施形態では、「歩行状態」だけでなく、「走行状態」も考慮して、設定する。
【０１０１】
加速度の変化パターンとして、停止状態の加速度の変化パターン「パターン０」と歩行状態の加速度の変化パターン「パターン１」だけでなく、走行状態の加速度の変化パターン「パターン２」も記憶しても良い。例えば、図１５に示すように、歩行状態テーブル２１の走行状態に、停止状態の変化パターン「パターン０」に対応する「停止」と歩行状態の変化パターン「パターン１」に対応する「歩行中」だけでなく、走行状態の加速度の変化パターン「パターン２」も含めて対応付けても良い。
【０１０２】
この場合、歩行状態検出部１１は、加速度センサにより、加速度が検出されると、加速度の度合等も考慮して、予め記憶した加速度の変化パターンとの比較により、合致（又は類似）する加速度の変化パターンを特定する。記憶部２０に記憶されている歩行状態テーブル２１を参照し、特定された加速度の変化パターンに基づいて、歩行状態が「停止」、「歩行中」又は「走行中」のいずれかと判断し、現在の歩行状態を表す歩行状態識別子に「停止」、「歩行中」又は「走行中」を入力し、歩行状態識別子を装着側判断部１４と装着側判断部１４に送信する。なお、実際には、別途、速度計を設けて、ある速度を「歩行中」又は「走行中」と判断する閾値を設けて、歩行状態を判断しても良い。
【０１０３】
また、走行時は、腕を前方に９０度曲げて走行するため、歩行方向と装着側との関係、重力方向と装着腕との関係が歩行時と異なるため、歩行用と走行用に分けて、それぞれの装着側判断テーブル２２と装着腕判断テーブル２３とを用意する。すなわち、歩行用／走行用の装着側判断テーブル２２と、歩行用／走行用の装着腕判断テーブル２３を、それぞれ用意する。例えば、歩行用として、図７に示すような歩行用の装着側判断テーブル２２と、図８に示すような歩行用の装着腕判断テーブル２３を用意する。同様に、走行用として、図１６に示すような走行用の装着側判断テーブル２２と、図１７に示すような走行用の装着腕判断テーブル２３を用意する。
【０１０４】
なお、歩行中の場合において「歩行方向」と記載したものは、走行中の場合には「走行方向」と読み替える。また、走行時は、腕を前方に９０度曲げて走行するため、歩行時とは逆に、走行方向（歩行方向）が「Ｘ軸」方向となり、重力方向が「Ｙ軸」方向となる。
【０１０５】
装着側判断部１４と装着腕判断部１５は、歩行状態識別子が「歩行中」であるか「走行中」であるかに応じて、歩行用／走行用の装着側判断テーブル２２と、歩行用／走行用の装着腕判断テーブル２３を使用して、それぞれ、装着側と装着腕を判断する。例えば、現在の歩行状態を表す歩行状態識別子が「歩行中」の場合、歩行用の装着側判断テーブル２２と、歩行用の装着腕判断テーブル２３を使用して、装着側と装着腕を判断する。同様に、歩行状態識別子が「走行中」の場合、走行用の装着側判断テーブル２２と、走行用の装着腕判断テーブル２３を使用して、装着側と装着腕を判断する。
【０１０６】
また、歩行用と走行用に分けて、それぞれの設定テーブル２４を用意する。例えば、歩行用として、図９に示すような歩行用の設定テーブル２４を用意する。同様に、走行用として、図１８に示すような走行用の設定テーブル２４を用意する。
【０１０７】
設定部１６は、歩行中の場合と走行中の場合を分けて、それぞれの場合において個別に、「装着側」（内側／外側）と「装着腕」（右腕／左腕）に応じて、「表示設定」（表示装置の表示パターン）と「入力設定」（入力装置の入力パターン）を判断する。例えば、現在の歩行状態を表す歩行状態識別子が「歩行中」の場合、歩行用の設定テーブル２４を使用して、装着側と装着腕に応じて、表示設定と入力設定を判断する。同様に、歩行状態識別子が「走行中」の場合、走行用の設定テーブル２４を使用して、装着側と装着腕に応じて、表示設定と入力設定を判断する。
【０１０８】
＜各実施形態の関係＞
なお、上記の各実施形態は、組み合わせて実施することも可能である。また、端末の動作モードや機能の切り替え等により、実施形態を変更できるようにしても良い。また、「歩行」や「走行」は、「進行」と読み替えても良い。例えば、「歩行状態」は「進行状態」と読み替え、「歩行方向」や「走行方向」は「進行方向」と読み替えることができる。
【０１０９】
＜本発明の要旨＞
本発明に係る腕時計型デバイスは、歩行状態と歩行方向と重力方向とを検出し、装着腕と装着側とを判断する。これにより、判断した装着腕と装着側とで示される装着状態に応じて、表示装置での表示方法や、入力装置の割り当てや、機能のオン／オフを自動的に設定／変更できる。
【０１１０】
＜ハードウェアの例示＞
図示しないが、上記のような腕時計型デバイスは、プログラムに基づいて駆動し所定の処理を実行するプロセッサと、当該プログラムや各種データを記憶するメモリと、ネットワークとの通信に用いられるインターフェースによって実現される。
【０１１１】
上記のプロセッサの例として、ＣＰＵ（Ｃｅｎｔｒａｌ  Ｐｒｏｃｅｓｓｉｎｇ  Ｕｎｉｔ）、ネットワークプロセッサ（ＮＰ：Ｎｅｔｗｏｒｋ  Ｐｒｏｃｅｓｓｏｒ）、マイクロプロセッサ（ｍｉｃｒｏｐｒｏｃｅｓｓｏｒ）、マイクロコントローラ（ｍｉｃｒｏｃｏｎｔｒｏｌｌｅｒ）、或いは、専用の機能を有する半導体集積回路（ＬＳＩ：Ｌａｒｇｅ  Ｓｃａｌｅ  Ｉｎｔｅｇｒａｔｉｏｎ）等が考えられる。
【０１１２】
上記のメモリの例として、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やフラッシュメモリ等の半導体記憶装置、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の補助記憶装置、又は、ＤＶＤ（Ｄｉｇｉｔａｌ  Ｖｅｒｓａｔｉｌｅ  Ｄｉｓｋ）等のリムーバブルディスクや、ＳＤメモリカード（Ｓｅｃｕｒｅ  Ｄｉｇｉｔａｌ  ｍｅｍｏｒｙ  ｃａｒｄ）等の記憶媒体（メディア）等が考えられる。また、バッファ（ｂｕｆｆｅｒ）やレジスタ（ｒｅｇｉｓｔｅｒ）等でも良い。或いは、ＤＡＳ（Ｄｉｒｅｃｔ  Ａｔｔａｃｈｅｄ  Ｓｔｏｒａｇｅ）、ＦＣ−ＳＡＮ（Ｆｉｂｒｅ  Ｃｈａｎｎｅｌ  −  Ｓｔｏｒａｇｅ  Ａｒｅａ  Ｎｅｔｗｏｒｋ）、ＮＡＳ（Ｎｅｔｗｏｒｋ  Ａｔｔａｃｈｅｄ  Ｓｔｏｒａｇｅ）、ＩＰ−ＳＡＮ（ＩＰ  −  Ｓｔｏｒａｇｅ  Ａｒｅａ  Ｎｅｔｗｏｒｋ）等を用いたストレージ装置でも良い。
【０１１３】
なお、上記のプロセッサ及び上記のメモリは、一体化していても良い。例えば、近年では、マイコン等の１チップ化が進んでいる。したがって、電子機器等に搭載される１チップマイコンが、上記のプロセッサ及び上記のメモリを備えている事例も考えられる。
【０１１４】
上記のインターフェースの例として、ネットワーク通信に対応した基板（マザーボード、Ｉ／Ｏボード）やチップ等の半導体集積回路、ＮＩＣ（Ｎｅｔｗｏｒｋ  Ｉｎｔｅｒｆａｃｅ  Ｃａｒｄ）等のネットワークアダプタや同様の拡張カード、アンテナ等の通信装置、接続口（コネクタ）等の通信ポート等が考えられる。
【０１１５】
また、ネットワークの例として、インターネット、ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、ＷＡＮ（Ｗｉｄｅ  Ａｒｅａ  Ｎｅｔｗｏｒｋ）、バックボーン（Ｂａｃｋｂｏｎｅ）、ケーブルテレビ（ＣＡＴＶ）回線、固定電話網、携帯電話網、ＷｉＭＡＸ（ＩＥＥＥ  ８０２．１６ａ）、３Ｇ（３ｒｄ  Ｇｅｎｅｒａｔｉｏｎ）、専用線（ｌｅａｓｅ  ｌｉｎｅ）、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）、シリアル通信回線、データバス等が考えられる。
【０１１６】
なお、腕時計型デバイスの内部の構成要素は、モジュール（ｍｏｄｕｌｅ）、コンポーネント（ｃｏｍｐｏｎｅｎｔ）、或いは専用デバイス、又はこれらの起動（呼出）プログラムでも良い。
【０１１７】
但し、実際には、これらの例に限定されない。
【０１１８】
＜備考＞
以上、本発明の実施形態を詳述してきたが、実際には、上記の実施形態に限られるものではなく、本発明の要旨を逸脱しない範囲の変更があっても本発明に含まれる。
【符号の説明】
【０１１９】
１０…  処理部
１１…  歩行状態検出部
１２…  歩行方向検出部
１３…  重力方向検出部
１４…  装着側判断部
１５…  装着腕判断部
１６…  設定部
１７…  出力制御部
１８…  入力制御部
２０…  記憶部
２１…  歩行状態テーブル
２２…  装着側判断テーブル
２３…  装着腕判断テーブル
２４…  設定テーブル
３０…  表示部
４０…  入力部
【図１】
2014190965.tif 000003
【図２】
2014190965.tif 000004
【図３Ａ】
2014190965.tif 000005
【図３Ｂ】
2014190965.tif 000006
【図３Ｃ】
2014190965.tif 000007
【図３Ｄ】
2014190965.tif 000008
【図４】
2014190965.tif 000009
【図５】
2014190965.tif 000010
【図６】
2014190965.tif 000011
【図７】
2014190965.tif 000012
【図８】
2014190965.tif 000013
【図９】
2014190965.tif 000014
【図１０Ａ】
2014190965.tif 000015
【図１０Ｂ】
2014190965.tif 000016
【図１１Ａ】
2014190965.tif 000017
【図１１Ｂ】
2014190965.tif 000018
【図１２Ａ】
2014190965.tif 000019
【図１２Ｂ】
2014190965.tif 000020
【図１３Ａ】
2014190965.tif 000021
【図１３Ｂ】
2014190965.tif 000022
【図１４Ａ】
2014190965.tif 000023
【図１４Ｂ】
2014190965.tif 000024
【図１４Ｃ】
2014190965.tif 000025
【図１４Ｄ】
2014190965.tif 000026
【図１５】
2014190965.tif 000027
【図１６】
2014190965.tif 000028
【図１７】
2014190965.tif 000029
【図１８】
2014190965.tif 000030